(57)【特許請求の範囲】
【請求項１】
前面に開口部を有した箱本体と、前記開口部を開閉自在に覆う扉体と、幅方向両側に垂下する側板を有して下面開口で箱状に形成され前記扉体の周縁上部と前記箱本体の天板前縁との接合部分を覆うものであって、下面側に下方に屈曲して更に前記天板と略平行な方向に屈曲する取付片を突設させ、前記取付片の前記天板と略平行な部分に垂設させた固定具を介して前記天板に固定され、前記側板の前記箱本体の前面寄りに前記扉体が開閉可能となるよう切欠が形成されてなる屋根体と、を備えた電気機器収容箱であって、
前記取付片は、屋根体の幅方向長さと略一致する長尺材とするとともに通気孔が形成され、該取付片には箱本体の前面から雨水が天板上面に吹き上がるのを防止するパッキン材が設けられ、前記天板に、前記箱本体を懸架させる吊り具を設置可能で前記通気孔とともに通気経路を形成する通気孔を兼ねた吊り具孔を穿設させたことを特徴とする電気機器収容箱。
【請求項２】
前記固定具を前記屋根体の前記箱本体の前面寄りに設け、同屋根体後板の幅方向にわたって前記箱本体の前面側に突出させた被係止凸部を設けるとともに、前記箱本体の背板後面に係止凹所または係止小開口を形成した請求項１記載の電気機器収容箱。
【請求項３】
前記取付片を前記屋根体の屋根面が前記箱本体の前後方向に傾斜するように設けた請求項１又は請求項２記載の電気機器収容箱。
【請求項４】
前記吊り具孔に、その周縁の突出したブッシング材を配設した請求項１乃至請求項３のいずれかに記載の電気機器収容箱。
【請求項５】
前記天板を前記箱本体の前後方向に傾斜するように形成した請求項１乃至請求項４のいずれかに記載の電気機器収容箱。
【発明の詳細な説明】
【０００１】
【発明の属する技術分野】
本発明は、電気機器収容箱に関し、特に屋外にて使用可能な電気機器収容箱に関するものである。
【０００２】
【従来の技術】
従来から、屋外において使用される電気機器収容箱としては、図１０に示す如く、屋根体１０３を備えたものが使用される。この屋根体１０３は、屋外にて使用時に、雨水が電気機器収容箱１００内部へ流入するのを防止するもので、箱本体１０１前面の開口部（図示せず）を開閉自在に覆う扉体１０２の周縁上部と箱本体１０１の天板前縁との接合部分を覆っている。そして、多くの場合、下面開口の箱状で、屋根体の屋根面上に滴下した雨水を流下させて雨水を屋根体上面に溜まり難くし、屋根体表面の塗装劣化や錆防止を実現するため、屋根面上面は、図１１に示すこの屋根体１０３のように前方、または後方へ傾斜している。
【０００３】
この屋根体１０３は、図１１、１２に示すように、その裏面側に垂設させた固定具１０５となるボルトを介して箱本体１０１の天板に固定されている。そして、扉体１０２上部にある程度覆い被さるよう、屋根体１０３周縁に垂下する前板１０４部分が扉体１０２より前側に張り出すようになっている。
【０００４】
したがって、雨水の電気機器収容箱１００内部への流入防止とともに箱本体１０１の天板上面への雨水の吹き上がりも防止することができ、また、天板に設けられている固定孔等から箱本体１０１内部への雨水の侵入も無い。なお、一般には前方側へ傾斜した屋根体をもった電気機器収容箱が使用されるが、雨天時の電気機器の保守点検の際に、雨水が前側に流下することの不具合のときには、傾斜の無いものあるいは後方傾斜型の屋根体をもったものが使用される。
【０００５】
【発明が解決しようとする課題】
しかしながら、上記従来の技術においては、屋外にて使用される電気機器収容箱１００の箱本体１０１は、同図に示すように、扉体１０２が開閉可能となるよう、屋内にて使用される電気機器収容箱１００の箱本体１０１よりは扉体１０２の上端と箱本体１０１の上面とに比較的大きな段差が設けられている。すなわち、屋外用に用いる箱本体と屋内用に用いる箱本体とを別にそれぞれ用意されていた。したがって、相対的に数量の少ない屋外用の電気機器収容箱のコストが高くなるという問題があった。
【０００６】
ところで、上記のような電気機器収容箱を屋外に設置した際には、収容された電気機器自体の発熱によって内部の温度が上昇して、冬季において、箱本体の外部には結露が生ずる。また、電気機器収容箱自体の防水性能を維持させるために、箱本体と扉体との密閉性を比較的に高める構成となっており、外部の温度変化によっても箱本体の内部にも結露が生じやすい。したがって、防水性を維持し、且つ通気性を確保するための構成を別に設ける必要があった。したがって、そのためのコストも上昇するという問題があり、さらに、重量の大きい箱本体においては、その設置を容易におこなう吊り具を設けるために穿設された吊り具孔を、設置した後において確実に密閉する必要があった。
【０００７】
本発明は、上記事由に鑑みてなしたもので、その目的とするところは、安いコストの箱本体を使用すること、また、屋外に設置して効果的な結露防止の実現できる電気機器収容箱を提供することにある。
【０００８】
【課題を解決するための手段】
上記目的を達成するために、本発明の電気機器収容箱にあっては、前面に開口部を有した箱本体と、前記開口部を開閉自在に覆う扉体と、幅方向両側に垂下する側板を有して下面開口で箱状に形成され前記扉体の周縁上部と前記箱本体の天板前縁との接合部分を覆うものであって、下面側に下方に屈曲して更に前記天板と略平行な方向に屈曲する取付片を突設させ、前記取付片の前記天板と略平行な部分に垂設させた固定具を介して前記天板に固定され、前記側板の前記箱本体の前面寄りに前記扉体が開閉可能となるよう切欠が形成されてなる屋根体と、を備えた電気機器収容箱であって、前記取付片は、屋根体の幅方向長さと略一致する長尺材とするとともに通気孔が形成され、該取付片には箱本体の前面から雨水が天板上面に吹き上がるのを防止するパッキン材が設けられ、前記天板に、前記箱本体を懸架させる吊り具を設置可能で前記通気孔とともに通気経路を形成する通気孔を兼ねた吊り具孔を穿設させたことを特徴としている。
【０００９】
この構成にて、電気機器収容箱の箱本体の開口部を開閉自在に覆う扉体は、その箱本体に取り付けられた、扉体周縁上部と箱本体の天板前縁との接合部分を覆う下面開口で箱状の屋根体の、幅方向両側に垂下する側板の前側に形成された切欠を横切るようにして開閉される。
【００１０】
そして、前記屋根体を、前記屋根体の下面側に下方に屈曲して更に前記天板と略平行な方向に屈曲する取付片を突設させ、前記取付片の前記天板と略平行な部分に垂設させた固定具を介して前記天板に固定させることが好ましい。この場合、下面開口で箱状の屋根体が、前記屋根体の下面側に突設された前記取付片の前記天板と略平行な部分に垂設させた固定具を介して天板に固定される。
【００１１】
また、前記取付片を屋根体の奥行き方向にわたって設けるのが好ましい。この場合、箱状の屋根体を、その奥行き方向にわたって下面側に突設された下方に屈曲して更に前記天板と略平行な方向に屈曲する取付片を介して前記天板に固定できる。
【００１２】
また、前記取付片を屋根体の幅方向長さと略一致する長尺材とするのも好ましい。この場合、箱状の屋根体が、その屋根体の幅方向長さと略一致する長尺で前記屋根体の下面側に突設された下方に屈曲して更に前記天板と略平行な方向に屈曲する取付片を介して天板に固定される。
【００１３】
また、前記固定具を前記屋根体の前記箱本体の前面寄りに設け、同屋根体後板の幅方向にわたって前記箱本体の前面側に突出させた被係止凸部を設けるとともに、前記箱本体の背板後面に係止凹所または係止小開口を形成するのが好ましい。この場合、箱状の屋根体が、その屋根体後板の幅方向にわたって突設された被係止凸部を箱本体の背板後面に設けられた係止凹所または係止小開口に係止させ且つ、前記屋根体の下面側に突設された下方に屈曲して更に前記天板と略平行な方向に屈曲する取付片に設けられ、前記屋根体の前記箱本体の前面寄りに設けた固定具を介して箱本体の天板に固定される。
【００１４】
また、前記取付片を屋根体の屋根面が前記箱本体の前後方向に傾斜するように設けるのが好ましい。この場合、下面開口で箱状の屋根体が、取付片に垂設させた固定具を介して、前記屋根体の屋根面が前記箱本体の前後方向に傾斜するよう天板に固定される。
【００１５】
また、前記天板に、前記箱本体を懸架させる吊り具を設置可能で、且つ同箱本体内部からの通気孔を兼ねた吊り具孔を穿設するのが好ましい。この場合、電気機器収容箱を、箱本体の天板に設けられた吊り具孔に吊り具を設けられて懸架し設置させた後、前記箱本体に取り付けられた屋根体にて覆われた吊り具孔を介して箱本体内部からの通気ができる。
【００１６】
また、前記記吊り具孔に、その周縁の突出したブッシング材を配設するのが好ましい。この場合、屋根体にて覆われた電気機器収容箱の箱本体の、吊り具孔に設けられたブッシング材周縁の突出部分にて箱本体内部への雨水の侵入が防止される。
【００１７】
また、前記天板を前記箱本体の前後方向に傾斜するように形成するのが好ましい。この場合、電気機器収容箱の箱本体が、前記箱本体の前後方向に傾斜するよう形成された天板部分にて雨水の滞留が防止される。
【００１８】
【発明の実施の形態】
図１乃至図５は、本発明の第１の実施の形態を示し、図６乃至図８は、本発明の第２の実施の形態を示し、図９は、本発明の第３の実施の形態を示している。
【００１９】
［第１の実施の形態］
図１は、本発明の第１の実施の形態の電気機器収容箱の概略構成を示す斜視図、図２は、同電気機器収容箱の説明図、図３は、同電気機器収容箱の箱本体の説明図、図４は、同電気機器収容箱の屋根体を下面側から見た斜視図、図５は、同電気機器収容箱の屋根体の取付手順の説明図である。
【００２０】
この実施の形態の電気機器収容箱は、前面に開口部２ａを有した箱本体２にその開口部２ａを開閉自在に覆う扉体３を設け、同扉体３の周縁上部３ａと箱本体２の天板２１前縁との接合部分を覆う、下面開口で箱状の屋根体４を箱本体２に取り付けてなる電気機器収容箱１であって、前記屋根体４は、その幅方向両側に垂下する側板４２，４２の箱本体２の前面寄りに、前記扉体３が開閉可能となるよう切欠４５，４５が形成されてなる。
【００２１】
また、該実施の形態の電気機器収容箱１においては、前記屋根体４を、前記屋根体４の下面側に下方に屈曲して更に天板２１と略平行な方向に屈曲する取付片５を突設させ、同取付片５に垂設させた固定具６を介して前記天板２１に固定させてもいる。
【００２２】
詳しくは、この電気機器収容箱１は、その内部にブレーカ、電磁開閉器などの電気機器を収容し屋外にて使用可能なもので、図２に示すように、箱本体２と、扉体３と、屋根体４と、箱本体２をコンクリート打ちされた床面等の設置面に安定状態に固定させるための鋼板製の台座７（図１参照）とを備えている。なお、この電気機器収容箱１の内部には、上記のような電気機器を設けてそれらを安全に使用させるために、その操作部分のみ露出させて、電気機器への配線領域となる他の部分を覆う内パネル（図示せず）が適宜設けられる。
【００２３】
箱本体２は、この場合、縦長の鋼板材料製であって、その開口部２ａが前側略中央位置に突出するように設けられた前面開口の箱体で、天板２１、両側の側板２２，２２、背板２４及び底板（図示せず）を有している。この箱本体２は、前面の開口部２ａの周縁には水切りを兼ねた扉止め部が設けられているが、開口部２ａがその略中央位置に設けられているので、屋内用の電気機器収容箱としても違和感なく使用することができる。
【００２４】
天板２１の両側には、図３（ｂ）に示すようにこの箱本体２を懸架させる吊り具８が設置可能である。この天板２１には、図３（ａ）に示すように、同箱本体２内部からの通気孔を兼ねた吊り具孔２１ａと、後述する屋根体４を固定するための固定孔２１ｂとが所定位置に、上方への段抜きノックアウト加工にて形成されたノックアウト部として穿設されている。これにより、このノックアウトを叩いて取り外すまでは箱本体２の密閉性が確保され、その状態において屋根無しの屋内用の電気機器収容箱として使用できるようになっている。また、屋根有りの屋外用の電気機器収容箱として使用するときには、適宜そのノックアウトを取り外して使用することができる。さらに、この吊り具孔２１ａ及び固定孔２１ｂは、上方への段抜きノックアウト加工とされており、例えば結露水などの水が溜まることが無く、錆び、汚れなども生じにくく、箱本体２の使用性を向上させている。
【００２５】
扉体３は、この場合、鋼板材料製で縦長薄箱状の、後面開口の扉パネル３１の左縁部に把手３２を設けて形成されている。そして、上記箱本体２の開口部２ａの右縦辺に、その開口部２ａを開閉自在に覆うよう蝶番（図示せず）を介して軸支されている。
【００２６】
屋根体４は、扉体３の周縁上部３ａと箱本体２の天板２１前縁との接合部分を覆い、電気機器収容箱１を屋外にて使用する際に箱本体２内部へ雨水が浸入しないようにするものである。この屋根体４は、下面側に、固定具６となるボルトの設けられた鋼板材料製の取付片５を有して鋼板材料にて形成され、また、機械的に高い強度を得るため、及び上記接合部分を効果的に覆う目的にて横長箱状に形成されている。そして、その側板４２の箱本体２の前面寄りに、切欠４５が、前記扉体３を開閉する際に当たらないよう設けられおり、また、屋根面４ａに滴下した雨水を流下させて雨水を溜まり難くして屋根体４表面の塗装劣化や錆防止をするため、その屋根面４ａを形成する上面板４１が、後板４４から前板４３にかけて箱本体２の前後方向に傾斜するよう形成されている。この上面板４１の下面に取付片５が突設されている。
【００２７】
取付片５は、屋根体４を箱本体２の天板２１に固定させるもので、図４、図５に詳しく示すように、屋根体４の奥行き方向にわたって、屋根体４の上面板４１下面の奥行き方向のそれぞれの溶接部となる固着面５ａ，５ａから、箱状の屋根体４を前記天板２１に固定可能となるよう下方に屈曲されて更に天板２１と略平行な方向に屈曲され一体に形成されている。この取付片５の天板２１と略平行な方向に屈曲された部分の両端部近傍部には、それぞれ固定具６が溶接固着され垂設されている。したがって、１部品による取付片５を屋根体４両側に設けて確実に固定することができる。また、屋根体４がこの取付片５にて持ち上げられることとなって、その屋根体４の全周囲に垂下する側板４２，４２、前板４３及び後板４４を幅広に形成できることとなり、屋根体４の強度向上を容易に図ることができる。
【００２８】
上記の電気機器収容箱１においては、箱本体２に扉体３を設けた状態にて上記ノックアウトを取り外さない状態において、図３（ａ）に示すように屋根無しの屋内用の電気機器収容箱として使用可能である。そして、屋根有りの屋外用の電気機器収容箱として使用するとき、電気機器収容箱の重量の大きいときには、まず、吊り具孔２１ａのノックアウトを取り外して、図３（ｂ）に示すように吊り具８をナツト８１にて固定し、その吊り具８を介して箱本体２を懸架させ設置場所に固定させることができる。次いで、その吊り具８を取り外した後、図５に示すように、固定孔２１ｂのノックアウトを取り外す。なお、この場合、その吊り具孔２１ａに、周縁の突出した合成樹脂製のブッシング材９を配設する。その後、下面開口で箱状の屋根体４を、その下面側に下方に屈曲して更に天板２１と略平行な方向に屈曲する突設された取付片５に垂設させた固定具６、６に、箱本体２の内側から座金６２を介在させてナット６１を螺着させ天板２１に固定させる。
【００２９】
このようにして、屋根体４にて覆われた箱本体２の天板２１の前縁と扉体３の周縁上部３ａとの接合部分、及び、吊り具孔２１ａから箱本体２内部への雨水の侵入が防止され、さらにこの場合、吊り具孔２１ａに設けられたブッシング材９周縁の突出部分にて例えば箱本体２の前側から天板２１上面に吹き上がった雨水が流入するのも確実に防止できて防水が確実にできるのである。また、電気機器収容箱１を設置させた後、図２に示すように、その箱本体２に取り付けられた屋根体４にて覆われた吊り具孔２１ａを介して箱本体２内部から通気経路Ａが形成され、且つ内部の通気構造を容易に達成できるのである。
【００３０】
したがって、以上説明した電気機器収容箱１によると、電気機器収容箱１の箱本体２の開口部２ａを開閉自在に覆う扉体３は、その箱本体２に取り付けられた、扉体３の周縁上部と箱本体２の天板２１前縁との接合部分を覆う下面開口で箱状の屋根体４の、幅方向両側に垂下する側板４２，４２の箱本体２の前面寄りに形成された切欠４５，４５を横切るようにして開閉されるので、箱本体２を屋内用のものと共用化することが出来、以て、安いコストの箱本体２を使用することができる。
【００３１】
そして、下面開口で箱状の屋根体４が、その下面側に突設された下方に屈曲して更に天板２１と略平行な方向に屈曲する取付片５に垂設させた固定具６を介して天板２１に固定されるので、屋根体４の全周囲に垂下する側板４２，４２、前板４３及び後板４４を幅広に形成できることとなり、容易にその強度向上を図ることができる。また、箱状の屋根体４を、屋根体４の奥行き方向にわたって下面側に突設された下方に屈曲して更に天板２１と略平行な方向に屈曲する取付片５を介して前記天板に固定できるので、１部品による取付片５を屋根体４両側に設けて確実に固定することができる。
【００３２】
また、下面開口で箱状の屋根体４が、取付片５に垂設させた固定具６を介して、その屋根面４ａが箱本体２の前後方向に傾斜するよう天板２１に固定されるので、簡単な構成によって屋根体４表面の塗装劣化や錆防止を達成できる。また、電気機器収容箱１を、箱本体２の天板２１に設けられた吊り具孔２１ａに吊り具８を設けられて懸架し設置させた後、その箱本体２に取り付けられた屋根体４にて覆われた吊り具孔２１ａを介して箱本体２内部からの通気ができるので、電気機器収容箱１を容易に設置可能で、且つ内部の通気構造を容易に達成でき、しかも、屋根体４にて覆われた電気機器収容箱１の箱本体２の、吊り具孔２１ａに設けられたブッシング材９周縁の突出部分にて箱本体２内部への雨水の侵入が防止されるので、例えば箱本体２の前側から天板２１上面に吹き上がった雨水が流入するのも確実に防止できて防水が確実にできる。
【００３３】
［第２の実施の形態］
図６は、第２の実施の形態の電気機器収容箱の概略構成を示す説明図、図７は、同電気機器収容箱の屋根体の他の実施例のものを下面側から見た斜視図、図８は、同電気機器収容箱の屋根体のさらに他の実施例の説明図である。
【００３４】
この実施の形態の電気機器収容箱は、屋根体を固定する構成のみが第１の実施の形態と異なるもので、他の構成部材は第１の実施の形態のものと同一で、該実施の形態の電気機器収容箱１は、前記取付片５を屋根体４の幅方向長さと略一致する長尺材としている。また、該実施の形態の電気機器収容箱は、固定具６を屋根体４の前側に設け、同屋根体４の後板４４の幅方向にわたって箱本体２の前面側に突出させた被係止凸部４４ａを設けるとともに、前記箱本体の背板後面に係止凹所または係止小開口を形成してもいる。
【００３５】
このものの箱本体２は、図６に示すように、その背板２４の後面に係止凹所２４ａが設けられている。そして、その幅方向長さと略一致する長尺で、下面側に突設された下方に屈曲して更に天板２１と略平行な方向に屈曲する取付片５の設けられた屋根体４の後板４４の下端に連設されている被係止凸部４４ａを係止させ、屋根体４の後側が浮き上がらないようにしている。また、この取付片５には、箱本体２内部から吊り具孔２１ａを介して通気経路Ａを形成するための通気孔５ｂ（図７参照）が、下方屈曲部分に所定間隔にて形成され、また、その長手方向全長にわたって、箱本体２の前側から雨水が天板２１上面に吹き上がるのを防止するパッキン材１０が設けられている。
【００３６】
したがって、以上説明した電気機器収容箱１によると、箱状の屋根体４が、その屋根体４の幅方向長さと略一致する長尺で下面側に突設された下方に屈曲して更に天板２１と略平行な方向に屈曲する取付片５を介して天板２１に固定されるので、取付片５にて屋根体４の幅方向にわたる補強が可能となって屋根体４の薄肉化が図れる。また、箱状の屋根体４が、その屋根体４の後板４４の幅方向にわたって突設された被係止凸部４４ａを箱本体２の背板２４後面に設けられた係止凹所２４ａに係止させ且つ、その下面側に突設された下方に屈曲して更に天板２１と略平行な方向に屈曲する取付片５に設けられた固定具６を介して箱本体２の天板２１に固定されるので、屋根体４の前側に設けた取付片５のみにて屋根体４を確実に固定できて構成の簡略化が図れる。
【００３７】
なお、本発明は、上記に示されたもの以外に、例えば、図７に示すように、箱本体２の背板２４に係止凹所２４ａや屋根体４の後側に被係止凸部４４ａを設けること無しに、屋根体４の後側に固定具６を垂設させた取付小片５１を設けたもの、あるいは、図８に示すように、屋根体４の前側、後側それぞれに、固定具６を垂設させた幅方向長さと略一致する長尺で下面側に突設された下方に屈曲して更に天板２１と略平行な方向に屈曲する取付片５、５を設けたもの等、各種実施態様のものを含む。
【００３８】
［第３の実施の形態］
図９は、第３の実施の形態の電気機器収容箱の説明図で、（ａ）は屋外用、（ｂ）は屋内用を示す。
【００３９】
この実施の形態の電気機器収容箱は、箱本体の構成のみが第１の実施の形態と異なるもので、他の構成部材は第１の実施の形態のものと同一で、該実施の形態の電気機器収容箱は、図９（ｂ）に示す如く、前記天板２１を箱本体２の前後方向に傾斜するように形成している。
【００４０】
詳しくは、このものの箱本体２は、背板２４から箱本体２の前面側にかけて前下がりに傾斜する角度θの勾配を設けて天板２１が形成してある。これにより、電気機器収容箱１の箱本体２が、箱本体２の前後方向に傾斜するよう形成された天板２１部分にて雨水の滞留が防止されるので、屋根付き屋根無しにかかわらず、箱本体２の天板２１に滴下した雨水を流下させて雨水を溜まり難くでき、以て、箱本体２自体が錆びるのを確実に防止できる。
【００４１】
【発明の効果】
本発明は、上述の実施態様の如く実施されて、請求項１記載の電気機器収容箱にあっては、箱本体を屋内用のものと共用化することが出来、以て、安いコストの箱本体を使用することができる。また、箱状の屋根体が、その屋根体の幅方向長さと略一致する長尺で下面側に突設された下方に屈曲して更に天板２１と略平行な方向に屈曲する取付片を介して天板に固定されるので、取付片にて屋根体の幅方向にわたる補強が可能となって屋根体の薄肉化が図れる。さらに、電気機器収容箱を、箱本体の天板に設けられた吊り具孔に吊り具を設けられて懸架し設置させた後、その箱本体に取り付けられた屋根体にて覆われた吊り具孔を介して箱本体内部からの通気ができるので、電気機器収容箱を容易に設置可能で、且つ内部の通気構造を容易に達成できる。
【００４２】
また、請求項２記載の電気機器収容箱にあっては、箱状の屋根体が、その屋根体後板の幅方向にわたって突設された被係止凸部を箱本体の背板後面に設けられた係止凹所または係止小開口に係止させ且つ、その下面側に突設された下方に屈曲して更に天板２１と略平行な方向に屈曲する取付片に設けられた固定具を介して箱本体の天板に固定されるので、屋根体の前側に設けた取付片のみにて屋根体を確実に固定できて構成の簡略化が図れる。
【００４３】
また、請求項３記載の電気機器収容箱にあっては、下面開口で箱状の屋根体が、取付片に垂設させた固定具を介して、その屋根面が箱本体２の前後方向に傾斜するよう天板に固定されるので、簡単な構成によって屋根体表面の塗装劣化や錆防止を達成できる。
【００４４】
また、請求項４記載の電気機器収容箱にあっては、屋根体にて覆われた電気機器収容箱の箱本体の、吊り具孔に設けられたブッシング材周縁の突出部分にて箱本体内部への雨水の侵入が防止されるので、例えば箱本体の前側から天板上面に吹き上がった雨水が流入するのも確実に防止できて防水が確実にできる。
【００４５】
また、請求項５記載の電気機器収容箱にあっては、電気機器収容箱の箱本体が、箱本体２の前後方向に傾斜するよう形成された天板部分にて雨水の滞留が防止されるので、屋根付き屋根無しにかかわらず、箱本体の天板に滴下した雨水を流下させて雨水を溜まり難くでき、以て、箱本体自体が錆びるのを確実に防止できる。
【図面の簡単な説明】
【図１】    本発明の第１の実施の形態の電気機器収容箱の概略構成を示す斜視図である
【図２】  同電気機器収容箱の説明図である。
【図３】  同電気機器収容箱の箱本体の説明図である。
【図４】  同電気機器収容箱の屋根体を下面側から見た斜視図である。
【図５】  同電気機器収容箱の屋根体の取付手順の説明図である。
【図６】  第２の実施の形態の電気機器収容箱の概略構成を示す説明図である。
【図７】  同電気機器収容箱の屋根体の他の実施例のものを下面側から見た斜視図である。
【図８】  同電気機器収容箱の屋根体のさらに他の実施例の説明図である。
【図９】    第３の実施の形態の電気機器収容箱の説明図で、（ａ）は屋外用、（ｂ）は屋内用を示す。
【図１０】  本発明の従来例である同電気機器収容箱を示し、（ａ）は正面図、（ｂ）は側面図である。
【図１１】  同電気機器収容箱の構成を示し、（ａ）は部分正面図、（ｂ）は概略構成を示す斜視図である
【図１２】  同電気機器収容箱の説明図である。
【符号の説明】
１    電気機器収容箱
２    箱本体
２１  天板
２１ａ  吊り具孔
２ａ  開口部
３    扉体
３ａ  周縁上部
４    屋根体
４２  側板
４５  切欠
４ａ  屋根面
５    取付片
６    固定具
８    吊り具
９    ブッシング材
【図１】
0003982172.tif 000002
【図２】
0003982172.tif 000003
【図３】
0003982172.tif 000004
【図４】
0003982172.tif 000005
【図５】
0003982172.tif 000006
【図６】
0003982172.tif 000007
【図７】
0003982172.tif 000008
【図８】
0003982172.tif 000009
【図９】
0003982172.tif 000010
【図１０】
0003982172.tif 000011
【図１１】
0003982172.tif 000012
【図１２】
0003982172.tif 000013